(57)【要約】【課題】本発明は、機内テレビジョンに映し出される飛行中の１個乃至複数の機外映像を乗客が自由に選択／表示し、機内からこれらの機外映像を映像データとして任意のタイミングで取り込むことで機外撮影の撮影対象を多様化し、撮影データの画質の向上、および撮影の容易化を図る。【解決手段】航空機外部に設置した１個乃至複数のカメラから得られる機外映像をそれぞれの乗客がオンデマンドに選択し個々の機内テレビジョンに表示する。乗客は表示された映像を任意のタイミングで一時的に映像データとして記憶装置に取り込む。その後、シリアルやＵＳＢなどの汎用ケーブルを用いて自分の持つＰＣやデジタルカメラなどのデバイス機器にその映像データを取り込むことであたかも機外で撮影したかのように機外映像を撮影することが出来る。【選択図】        図１
2004173086.tif 000002
【特許請求の範囲】
【請求項１】
航空機外部に設置した機外映像を撮影するための１個乃至複数の撮影手段と、該撮影手段によって得られる機外映像を乗客前面のディスプレイに表示する表示手段と、該表示手段による映像を乗客毎に制御することを可能とするインタフェース手段と、該表示手段による映像を乗客が任意のタイミングで一時的に記憶装置に保存する記憶手段と、該記憶手段によって得られた映像データをＰＣやデジタルカメラなどのデバイス機器へ転送する手段を有することを特徴とする機外映像撮影システム。
【請求項２】
前記記憶手段において映像と共に飛行中の現在位置や撮影時刻などの情報をマージして保存し、前記転送手段において映像と情報を同時にデバイス機器へ転送することを特徴とする機外映像撮影システム。
【請求項３】
請求項１の機外映像撮影システムに加えて、予め設定した上空からの撮影禁止区域を現在飛行中であることを識別する識別手段と、該識別手段によって得られた撮影禁止情報を乗客前面のディスプレイに表示する表示手段と、該表示手段による撮影禁止の表示と共に記憶装置への保存を禁止する手段を有することを特徴とする機外映像撮影システム。
【発明の詳細な説明】
【０００１】
【発明の属する技術分野】
本発明は、民間航空機において機内から機外映像を撮影するシステムに関し、より詳細には航空機外部に設置した１個乃至複数のカメラから得られる機外映像を乗客がそれぞれ各自の機内テレビジョンに自由に選択／表示し、かつ任意のタイミングでその映像を映像データとしてＰＣやデジタルカメラ等のデバイス機器に取り込むことを可能とするシステムに関する。
【０００２】
【従来の技術】
近年、民間航空機において個々の乗客に提供された機内テレビジョンの出現は、従来からの大型ディスプレイによる映画鑑賞などに加えてニュース番組やビデオなどの種々の新たなチャンネルを選択することを可能としており、それぞれの乗客に対して多種多様な選択権を与えている。
【０００３】
また、このような機内テレビジョンによるチャンネルの選択肢の１つとして、搭乗した航空機の離着陸シーンや飛行中の航空機の機外映像がある。これは航空機外部に設置したカメラにより機外映像を撮影し、その映像を機内のディスプレイに映すことで実施される。この際のシステム、および使用する多機能カメラの発明として「特開平０７−１９６０９６」が挙げられる。
【０００４】
一方、飛行中に上空からの山岳風景や都市の景色など機外映像を航空機機内から撮影することは乗客にとって大変魅力的な内容であるが、実質的にこれらの撮影は大変困難であり、実際には航空機横の窓から見える風景をガラス越に直接カメラで撮影するしか方法はなかった。
【０００５】
【発明が解決しようとする課題】
以上のように飛行中に機外映像を撮影することは大変困難を要する。実際には、航空機横の窓から見える風景をガラス越に直接カメラで撮影するため、撮影のアングル的にも画質的にも決して良いものではなく、撮影対象も非常に限られた風景しか撮影出来ないと言う問題があった。
【０００６】
また、民間航空機において従来から機外映像を鑑賞することは可能であったが、これらの機外映像は映画やニュース番組と同じく飛行中の娯楽映像の１つであり、機外映像の撮影とは何ら接点を持っていなかった。
【０００７】
本発明は、機内テレビジョンに映し出される飛行中の１個乃至複数の機外映像を自由に選択／表示し、機内からこれらの機外映像を映像データとして任意のタイミングで取り込むことで撮影対象の選択を多様化し、撮影データの画質の向上、および撮影の操作の容易化を図ることを目的とする。
【０００８】
【課題を解決するための手段】
上記目的を達成するために、請求項１記載の発明に係わるシステムは、航空機外部に設置した機外映像を撮影するための１個乃至複数の撮影手段と、該撮影手段によって得られる機外映像を乗客前面のディスプレイに表示する表示手段と、該表示手段による映像を乗客毎に制御することを可能とするインタフェース手段と、該表示手段による映像を乗客が任意のタイミングで一時的に記憶装置に保存する記憶手段と、該記憶手段によって得られた映像データをＰＣやデジタルカメラなどのデバイス機器へ転送する手段を有することを特徴とする。
【０００９】
請求項２記載の発明に係わるシステムは、請求項１記載の記憶手段において映像と共に飛行中の現在位置や撮影時刻などの情報をマージして保存し、請求項１記載の転送手段において映像と情報を同時にデバイス機器へ転送することを特徴とする。
【００１０】
請求項３記載の発明に係わるシステムは、請求項１記載の機外映像撮影システムに加えて、予め設定した上空からの撮影禁止区域を現在飛行中であることを識別する識別手段と、該識別手段によって得られた撮影禁止情報を乗客前面のディスプレイに表示する表示手段と、該表示手段による撮影禁止の表示と共に記憶装置への保存を禁止する手段を有することを特徴とする。
【００１１】
【発明の実施の形態】
以下、本発明について説明する。
【００１２】
（実施例１）
図１は本発明のシステムの一様態である。
【００１３】
システム１は、機外映像を撮影するために航空機外部に設置した１個乃至複数のカメラ群１１、中央制御装置１２、乗客とのヒューマン・インタフェースであるテレビジョンシステム１３から構成される。テレビジョンシステム１３は、乗客それぞれに対してモニタ装置を持っており、その構成例を図２に示す。モニタ装置は、映像を表示するためのディスプレイ１３ａ、映像チャンネルの選択など乗客がモニタ装置を制御するための制御パネル１３ｂ、機外映像を一時的に保存するための記憶装置１３ｃ、モニタ装置と乗客の持つＰＣやデジタルカメラなどのデバイス機器とを接続するための外部インタフェース１３ｄから構成される。
【００１４】
以下、本発明の動作について説明する。
【００１５】
まず、カメラ群１１で撮影された１個乃至複数の機外映像は、中央制御装置１２を通してテレビジョンシステム１３へ供給されている。中央制御装置１２は、カメラ群１１からの映像に対する種々のデータ処理に加えて、システム全体の制御を行っている。すなわち、中央制御装置１２によりカメラ群１１の撮影方向やズームなどの制御、およびテレビジョンシステム１３の乗客それぞれに対するインタフェースの制御を行っている。テレビジョンシステム１３に供給された機外映像はそれぞれの乗客が制御パネル１３ｂにより機外映像のチャンネルを選択することで乗客毎にオンデマンドに呼び出される。これにより乗客は機外映像をディスプレイ１３ａに表示し、その内容を確認することが出来る。
【００１６】
この時、カメラ群１１のカメラが複数ある場合には、その映像をサムネイル表示し、その中から所望の映像を選択しても良い。また、制御パネル１３ｂにより直接カメラ群１１の任意のカメラの撮影方向やズームなどの制御を行っても良い。このようにして乗客は自分の所望する映像を選択することが可能である。
【００１７】
続いて乗客は自分の所望する任意のタイミングで制御パネル１３ｂを操作することでその時表示されている映像を一時的に映像データとして記憶装置１３ｃへ保存する。このとき、保存されたデータは静止画でも動画でも良い。この保存された映像データは、制御パネル１３ｂの操作により再度ディスプレイ１３ａに表示し、その内容を確認することが出来る。
【００１８】
最後に乗客は自分の持つＰＣやデジタルカメラなどのデバイス機器をシリアルやＵＳＢなどの汎用のケーブルにより外部インタフェース１３ｄに接続する。更に操作パネル１３ｂを操作することで記憶装置１３ｃに保存した映像データをそのデバイス機器へ転送することが可能である。
【００１９】
かくして、乗客はディスプレイ１３ａに表示された機外映像と同じ映像をあたかも機外で撮影したかのように得ることが出来る。
【００２０】
（実施例２）
図３は本発明のシステムの別の一様態である。
【００２１】
システム２は、システム１とほぼ同様であり機外映像を撮影するために航空機外部に設置した１個乃至複数のカメラ群２１、中央制御装置２２、乗客とのヒューマン・インタフェースであるテレビジョンシステム２３、中央制御装置２２に対して現在の位置や時刻などの情報を通知する位置情報装置２４から構成される。テレビジョンシステム２３は、システム１と同様に乗客それぞれに対してモニタ装置を持っており、図４は、図２の番号をシステム２用に振り直したものである。位置情報装置２４は、航空機においてはＧＰＳ装置や空港のレーダなど管制塔からの情報で容易に実現することが可能である。
【００２２】
以下、本発明の動作について説明する。
【００２３】
まず、カメラ群２１で撮影された１個乃至複数の機外映像は、中央制御装置２２を通してテレビジョンシステム２３へ供給されている。この時、位置情報装置２４から現在の飛行位置や時刻などの情報も同時に中央制御装置２２を通してテレビジョンシステム２３へ供給されている。中央制御装置２２は、カメラ群２１からの映像に対する種々のデータ処理に加えて、システム全体の制御を行っている。すなわち、中央制御装置２２によりカメラ群２１の撮影方向やズームなどの制御、およびテレビジョンシステム２３の乗客それぞれに対するインタフェースの制御を行っている。テレビジョンシステム２３に供給された機外映像と位置などの情報はそれぞれの乗客が制御パネル２３ｂにより機外映像のチャンネルを選択することで乗客毎にオンデマンドに呼び出される。これにより乗客は機外映像と現在位置などの情報をディスプレイ２３ａに表示し、その内容を確認することが出来る。
【００２４】
この時、カメラ群２１のカメラが複数ある場合には、その映像をサムネイル表示し、その中から所望の映像を選択しても良い。また、制御パネル２３ｂにより直接カメラ群２１の任意のカメラの撮影方向やズームなどの制御を行っても良い。このようにして乗客は自分の所望する映像を選択することが可能である。
【００２５】
続いて乗客は自分の所望する任意のタイミングで制御パネル２３ｂを操作することでその時表示されている映像と位置などの情報を一時的に映像データとして記憶装置２３ｃへ保存する。このとき、保存されたデータは静止画でも動画でも良い。この保存された映像データは、制御パネル２３ｂの操作により再度ディスプレイ２３ａに表示し、その内容を確認することが出来る。
【００２６】
最後に乗客は自分の持つＰＣやデジタルカメラなどのデバイス機器をシリアルやＵＳＢなどの汎用のケーブルにより外部インタフェース２３ｄに接続する。更に操作パネル２３ｂを操作することで記憶装置２３ｃに保存した映像データをそのデバイス機器へ転送することが可能である。
【００２７】
かくして、乗客はディスプレイ２３ａに表示された機外映像と同じ映像をあたかも機外で撮影したかのように得ることが出来る。更にこれらの映像データには撮影した場所と時刻が埋め込まれているため、後日その映像データの内容を確認することが大変容易である。
【００２８】
（実施例３）
図５は本発明のシステムの別の一様態である。
【００２９】
システム３は、システム１とほぼ同様であり機外映像を撮影するために航空機外部に設置した１個乃至複数のカメラ群３１、中央制御装置３２、乗客とのヒューマン・インタフェースであるテレビジョンシステム３３、中央制御装置３２に対して予め設定した上空からの撮影禁止区域を現在飛行中であることを識別する位置識別装置３５から構成される。テレビジョンシステム３３は、システム１と同様に乗客それぞれに対してモニタ装置を持っており、図６は、図２の番号をシステム３用に振り直したものである。位置識別装置３５は、航空機においてはＧＰＳ装置や空港のレーダなど管制塔からの情報で容易に実現することが可能である。
【００３０】
以下、本発明の動作について説明する。
【００３１】
まず、カメラ群３１で撮影された１個乃至複数の機外映像は、中央制御装置３２を通してテレビジョンシステム３３へ供給されている。中央制御装置３２は、カメラ群３１からの映像に対する種々のデータ処理に加えて、システム全体の制御を行っている。すなわち、中央制御装置３２によりカメラ群３１の撮影方向やズームなどの制御、およびテレビジョンシステム３３の乗客それぞれに対するインタフェースの制御を行っている。また、この時、位置識別装置３５は現在の飛行位置が予め設定した上空からの撮影禁止区域であるか否かを中央制御装置３２へ通知している。
【００３２】
ここで現在の飛行位置が上空からの撮影禁止区域である場合、中央制御装置３２は、テレビジョンシステム３３に対してその情報を通知し、機外映像の供給を停止する。テレビジョンシステム３３は現在上空からの撮影禁止区域を飛行中であることを全てのディスプレイ３３ａに対して表示する。更にテレビジョンシステム３３は、制御パネル３３ｂによる映像データの保存操作を無効化し、全ての機外映像の撮影を禁止する。
【００３３】
次に現在の飛行位置が上空からの撮影禁止区域で無い場合、システム３はシステム１と同様に動作する。テレビジョンシステム３３に供給された機外映像はそれぞれの乗客が制御パネル３３ｂにより機外映像のチャンネルを選択することで乗客毎にオンデマンドに呼び出される。これにより乗客は機外映像をディスプレイ３３ａに表示し、その内容を確認することが出来る。
【００３４】
この時、カメラ群３１のカメラが複数ある場合には、その映像をサムネイル表示し、その中から所望の映像を選択しても良い。また、制御パネル３３ｂにより直接カメラ群３１の任意のカメラの撮影方向やズームなどの制御を行っても良い。このようにして乗客は自分の所望する映像を選択することが可能である。
【００３５】
続いて乗客は自分の所望する任意のタイミングで制御パネル３３ｂを操作することでその時表示されている映像を一時的に映像データとして記憶装置３３ｃへ保存する。このとき、保存されたデータは静止画でも動画でも良い。この保存された映像データは、制御パネル３３ｂの操作により再度ディスプレイ３３ａに表示し、その内容を確認することが出来る。
【００３６】
最後に乗客は自分の持つＰＣやデジタルカメラなどのデバイス機器をシリアルやＵＳＢなどの汎用のケーブルにより外部インタフェース３３ｄに接続する。更に操作パネル３３ｂを操作することで記憶装置３３ｃに保存した映像データをそのデバイス機器へ転送することが可能である。
【００３７】
かくして、乗客はディスプレイ３３ａに表示された機外映像と同じ映像をあたかも機外で撮影したかのように得ることが出来る。
【００３８】
【発明の効果】
以上の説明から明らかのように本発明によれば、機内テレビジョンに映し出される飛行中の１個乃至複数の機外映像を乗客が自由に選択／表示し、機内からこれらの機外映像を映像データとして任意のタイミングで取り込むことで撮影対象の選択を多様化し、撮影データの画質の向上、および機外映像の撮影の容易化を図ることが可能になる。
【図面の簡単な説明】
【図１】本発明の実施例１の機外映像撮影システムの一様態を示した図
【図２】本発明の実施例１のモニタ装置の一様態を示した図
【図３】本発明の実施例２の機外映像撮影システムの一様態を示した図
【図４】本発明の実施例２のモニタ装置の一様態を示した図
【図５】本発明の実施例３の機外映像撮影システムの一様態を示した図
【図６】本発明の実施例３のモニタ装置の一様態を示した図
【符号の説明】
１１  カメラ群
１２  中央制御装置
１３  テレビジョンシステム
１３ａ  機外映像を表示するためのディスプレイ
１３ｂ  モニタ装置を制御するための制御パネル
１３ｃ  機外映像を一時的に保存する記憶装置
１３ｄ  ＰＣやデジタルカメラを接続するための外部インタフェース
２１  カメラ群
２２  中央制御装置
２３  テレビジョンシステム
２４  位置情報装置
２３ａ  機外映像を表示するためのディスプレイ
２３ｂ  モニタ装置を制御するための制御パネル
２３ｃ  機外映像を一時的に保存する記憶装置
２３ｄ  ＰＣやデジタルカメラを接続するための外部インタフェース
３１  カメラ群
３２  中央制御装置
３３  テレビジョンシステム
３５  位置識別装置
３３ａ  機外映像を表示するためのディスプレイ
３３ｂ  モニタ装置を制御するための制御パネル
３３ｃ  機外映像を一時的に保存する記憶装置
３３ｄ  ＰＣやデジタルカメラを接続するための外部インタフェース
【図１】
2004173086.tif 000003
【図２】
2004173086.tif 000004
【図３】
2004173086.tif 000005
【図４】
2004173086.tif 000006
【図５】
2004173086.tif 000007
【図６】
2004173086.tif 000008